(57)【特許請求の範囲】
【請求項１】
駆動源を内蔵した防水構造の本体ケーシングに、前記駆動源によって駆動され、毛を引き抜くための脱毛手段を有する脱毛ヘッドが取り付けられ、石鹸を使用して脱毛を行うようにした脱毛装置において、
皮膚の方向に延び、先端部が皮膚に密着する突起部を、前記脱毛手段を外囲し脱毛手段との間に石鹸の泡を貯留するための空間を確保した位置に備えたことを特徴とする脱毛装置。
【請求項２】
前記脱毛手段が開閉爪を備える回転シリンダーから成り、皮膚の方向に延び、先端部が皮膚に密着する突起部を、前記回転シリンダーの回転方向の下流側に配置したことを特徴とする請求項１記載の脱毛装置。
【請求項３】
前記皮膚の方向に延び、先端部が皮膚に密着する突起部はアンダーカット部を有することを特徴とする請求項１〜２のいずれか１項に記載の脱毛装置。
【請求項４】
前記突起部の先端は連結バーにより連結されてなることを特徴とする請求項１〜２のいずれか１項に記載の脱毛装置。
【発明の詳細な説明】
【技術分野】
【０００１】
本発明は、石鹸を使用して脱毛を行うようにした脱毛装置に関するものである。
【背景技術】
【０００２】
従来、開閉可能な脱毛爪によって体毛を挟んだ上で、引き抜くことにより脱毛する脱毛装置が広く用いられている。例えば、特許文献１には、駆動源を内蔵した防水構造の本体ケーシングに、毛を引き抜くための脱毛手段を有する脱毛ヘッドが取り付けられ、脱毛手段が回転シリンダーとその外周面に設けられた開閉爪とを備えた脱毛装置が開示されている。この脱毛装置は、使用者が把持し、駆動源で回転シリンダーが回転駆動されると、開閉爪が連動して開閉することで、開閉爪が毛を掴んで引き抜くようになっている。さらに、脱毛の際に石鹸を使用すると、回転シリンダーに付着した泡が毛を起こすため、開閉爪で毛を挟み易くなり、脱毛性能が向上される。この場合、本体ケーシングは防水構造となっている。
【特許文献１】特開２００１−１４９１３５号公報
【発明の開示】
【発明が解決しようとする課題】
【０００３】
上述の従来技術では、石鹸を使用して脱毛処理をする際に、短い毛に対しては、泡で毛を起こす効果が大きいが、肌に密着した長い毛に対しては泡による起毛効果だけでは不十分であり、効果が得られにくい問題がある。
【０００４】
本発明は上記問題点を解決するためになされたものであって、その目的は、石鹸を使用して脱毛処理をする際に、肌に密着した長い毛に対しても十分な起毛効果を得られ、泡による脱毛効率の向上図ることができる脱毛装置を提供することにある。
【課題を解決するための手段】
【０００５】
上記目的を達成するため、この脱毛装置は、駆動源を内蔵した防水構造の本体ケーシングに、前記駆動源によって駆動され、毛を引き抜くための脱毛手段を有する脱毛ヘッドが取り付けられ、石鹸を使用して脱毛を行うようにしたものであり、さらに、皮膚の方向に延び、先端部が皮膚に密着する突起部を。前記脱毛手段を外囲し脱毛手段との間に石鹸の泡を貯留するための空間を確保した位置に備えた、
この構成によれば、使用者が把持し、駆動源を内蔵した防水構造の本体ケーシングに、前記駆動源によって駆動され、毛を引き抜くための脱毛手段を有する脱毛ヘッドが取り付けられ、石鹸を使用して脱毛を行う。更に、皮膚の方向に延び、先端部が皮膚に密着する突起部により、肌に密着した長い毛が肌から引き剥がされ、その引き剥がされた毛が泡により吸い込まれ起毛する。この起毛した毛を脱毛手段が肌から脱毛するため、高い脱毛効率を得ることができる。
【０００６】
また、前記脱毛手段が開閉爪を備える回転シリンダーから成り、前記皮膚の方向に延び、先端部が皮膚に密着する突起部を、前記回転シリンダーの回転方向の下流側に配置した。この構成によれば、脱毛手段が開閉爪を備える回転シリンダーから成り、回転するその回転シリンダーによって押し出された泡は該回転シリンダーの回転方向の下流側に溜ることになるので、その位置に皮膚の方向に延び、先端部が皮膚に密着する突起部を配置する。したがって、脱毛手段との間に、効率的に泡を貯留することができる。また、脱毛ヘッドの肌に対する移動は、回転シリンダーの回転方向の下流側から上流側の方向に、移動させたとき、最も高い脱毛効率を得ることができるので、皮膚の方向に延び、先端部が皮膚に密着する突起部を回転シリンダーの回転方向の下流側に配置することで、高い脱毛効率を得ることができる。
【０００７】
また、皮膚の方向に延び、先端部が皮膚に密着する突起部はアンダーカット部を有する。この構成によれば、皮膚の方向に延び、先端部が皮膚に密着する突起部により肌に密着した長い毛が肌から引き剥がされた際、その毛がアンダーカット部に引っかかるため、長い毛が再び肌に密着し難くなり、効率よく毛を起こすことができる。
【０００８】
また、突起部の先端は連結バーにより連結されてなる。この構成によれば、皮膚の方向に延び、先端部が皮膚に密着する突起部により肌に密着した長い毛が肌から引き剥がされた際、長い毛が再び肌に密着するのを防止するため、確実に毛を起こすことができる。
【発明の効果】
【０００９】
本発明によれば、石鹸を使用して脱毛処理をする際に、肌に密着した長い毛に対しても十分な起毛効果を得られ、泡による脱毛効率の向上図ることが可能な脱毛装置を提供することができる。
【発明を実施するための最良の形態】
【００１０】
以下、本発明を具体化した一実施形態を図１〜図６に従って説明する。
図１に示すように、この脱毛装置１は、大略的に、使用者が把持できる防水構造の本体ケーシング２の上部に、脱毛ヘッド３が着脱自在に取着されている。
【００１１】
脱毛ヘッド３には、脱毛手段を構成する２つの回転シリンダー４が回転可能に支持され、これらの回転シリンダー４の外周面には脱毛手段を構成する開閉爪が設けられている。回転シリンダー４は、後述するモータ５によって回転駆動され、この回転により開閉爪が毛を掴んで肌面から引き抜くようになっている。詳しくは、開閉爪は、対を成す固定爪と可動爪とを備えて成り、回転シリンダー４の回転に伴って、その回転シリンダー４内を挿通したレバーが該回転シリンダー４の軸方向に変位し、可動爪を固定爪に対して近接／離反変位させることで、毛の挟持／離脱が可能となっている。このような脱毛のメカニズムおよび動作のさらに詳細は、特許文献１などに示されている。
【００１２】
図２、図３に示すように、本体ケーシング２は、上部側が開放した袋状に形成され、その内部には駆動源であるモータ５や充電池６が搭載された基台７が収納され、その基台７の上面板７ａの周囲がＯリング８によって本体ケーシング２の内周面と水密に封止されている。また、モータ５の出力端には、断面Ｍ字状の防水部材９が嵌め込まれ、その防水部材９から上面板７ａに形成された軸孔７ｂを通して、出力軸５ａが脱毛ヘッド３側に取出される。さらにまた、基台７の下部側にはプラグ端子ピン１０が立設されたプラグ基台１１が取付けられており、本体ケーシング２の下部側において、プラグ端子ピン１０回りは、Ｏリング１２によって水密に封止されている。こうして、本体ケーシング２は防水構造に構成される。
【００１３】
脱毛ヘッド３は、前記本体ケーシング２の上部側の開口部分に嵌り込む基端部２１と、それによってフロート支持されるヘッド部２２とを備えて構成される。基端部２１の下端には一対のフック２３が設けられており、本体ケーシング２の側面（図２において右側面）に設けられたリリース釦２４を使用者が操作することによって、該脱毛ヘッド３が本体ケーシング２から取外し可能となっている。
【００１４】
脱毛ヘッド３の基端部２１には、駆動伝達機構を構成する歯車２５〜３１が設けられている。歯車２５の筒状に形成されるカプリング部２５ａは、基端部２１から本体ケーシング２に向かって突出形成されるとともに、脱毛ヘッド３を本体ケーシング２に装着することによりカプリング部２５ａ内にモータ５の出力軸５ａが嵌り込むように形成されている。これにより、脱毛ヘッド３において、カプリング部２５ａが動力の入力端となる。カプリング部２５ａに連なる歯車部２５ｂは、歯車２６の歯車部２６ａに噛合し、それに連なる筒部２６ｂの軸方向端面に形成された歯車が歯車２７に噛合している。これにより、モータ５からの図２において上下方向に延びる軸線回りの回転が、水平方向に延びる軸線回りの回転に変換される。歯車２７の回転は、歯車２８，２９，３０によって適宜減速され、前後一対の歯車３１から回転シリンダー４に与えられて、該回転シリンダー４は共に図４において反時計回りに回転する。
【００１５】
ヘッド部２２の下端側は図４で示すように左右軸線回りの円弧状に形成される凸曲面となっており、基端部２１の上端側は左右軸線回りの円弧状に形成される凹曲面となっており、さらに前後一対の回転シリンダー４の中間位置には、揺動支点３２が設けられ、その揺動支点３２を中心として、図４において矢符３３で示すように、ヘッド部２２は基端部２１に前後揺動可能にフロート支持されている。さらに、ヘッド部２２の下端側には、該ヘッド部２２の前記前後方向の揺動をセンター位置に復帰させるためのコイルばね３４が設けられている。
【００１６】
これによって、回転シリンダー４を回転させつつ、ヘッド部２２を使用者の肌面３５に押付けると、ヘッド部２２の揺動によって、回転シリンダー４は肌面３５の起伏に追従し、開閉爪は、常に肌面３５に近い位置で毛を掴み、すなわち毛の毛根に近い所を掴み、脱毛処理に伴う刺激を低減することができるとともに、短い毛の処理も可能となっている。
【００１７】
脱毛ヘッド３の上部には、図５に示すようなヘッドフレーム４１が装着される。ヘッドフレーム４１の枠体４２は、回転シリンダー４を外囲するように形成され、その枠体４２には、２つの回転シリンダー４の外周面に沿うように複数本架設され、前記肌面３５と回転シリンダー４との間に所定の間隔を保持するワイヤー４３が嵌め込まれている。複数のワイヤー４３は、２つの回転シリンダー４間の凹所を埋め、該ヘッドフレーム４１の肌面３５に対する滑りを良くするためのコーム４４により連結されている。さらに、ヘッドフレーム４１の矢符４５で示す該脱毛ヘッド３の移動方向下流側には泡溜め板４６が取着され、上流側にはワイパー４７が取着されている。枠体４２の両側部４２ａ，４２ｂならびに泡溜め板４６及びワイパー４７は、脱毛手段である開閉爪を有する回転シリンダー４を外囲し、内部に石鹸の泡を貯留することができる泡保持部材を構成する。
【００１８】
泡溜め板４６の先端は波形に形成されている。泡溜め板４６には、１または複数の貫通孔４６ａが内外方向に沿って貫通形成されている。泡溜め板４６の波形に形成された端部の山部には、皮膚の方向に向かって、先端が皮膚に密着するように突起部４６ｂが延出形成されている。上記したように、泡溜め板４６は、枠体４２の両側部４２ａ，４２ｂ及びワイパー４７とともに泡保持部材を構成する。従って、突起部４６ｂと回転シリンダー４との間にも石鹸の泡が貯留される。つまり、突起部４６ｂは、回転シリンダー４との間に石鹸の泡を貯留するための空間を確保した位置に形成されている。突起部４６ｂは、先端が皮膚に密着することにより、肌に密着した長い毛を肌から引き剥がすようになっている。
【００１９】
ワイパー４７のワイパー基台４７ａは、枠体４２の側面に沿って肌と接離する方向に移動可能に支持されている。ワイパー基台４７ａの先端には、回転シリンダー４と平行なローラ４７ｂが回転自在に枢支されている。さらに、ワイパー基台４７ａは、図示しないばねにより枠体４２に対して突出方向に弾発的に付勢されるとともに、枠体４２からの抜け止めが行われている。
【００２０】
上記のように構成された脱毛装置１の作用を説明する。
脱毛ヘッド３の開口部に石鹸液を滴下し、電源を投入して回転シリンダー４を回転駆動すると、その回転シリンダー４の回転によって泡が生成される。この状態で、図６（ａ）に示すように脱毛ヘッド３の先端を肌に密着させ、矢符４５方向に脱毛装置１を移動させると、回転シリンダー４の外周に付着した泡によって毛が起毛する。回転シリンダー４に設けられた開閉爪は、起毛した毛を常に肌面３５に近い位置で掴む、すなわち毛の毛根に近い所を掴む。そして、回転シリンダー４の回転により、開閉爪に捕まれた毛が肌から抜き取られる。
【００２１】
更に、図６（ａ）に示すように脱毛ヘッド３の先端を肌に密着させ、矢符４５方向に脱毛装置１を移動させると、突起部４６ｂの先端が肌面３５に密着して移動することにより、肌面３５に密着した長い毛が肌面３５から引き剥がされる。さらに、図６（ｃ）に示すように、回転シリンダー４の外周に付着した泡によって毛が起毛する。回転シリンダー４に設けられた開閉爪は、起毛した毛を常に肌面３５に近い位置で掴む、すなわち毛の毛根に近い所を掴む。そして、回転シリンダー４の回転により、開閉爪に捕まれた毛が肌から抜き取られる。
【００２２】
回転シリンダー４は、ヘッド部２２の揺動によって肌面３５の起伏に追従するため、開閉爪は、常に肌面３５に近い位置で毛を掴む。すなわち毛の毛根に近い所を掴む。これにより、脱毛処理に伴う刺激を低減することができるとともに、短い毛の処理も可能となっている。さらに、ヘッド部２２に設けられたワイヤー４３が肌面３５を抑えるため、脱毛処理に伴う刺激を低減することができる。
【００２３】
上記のように石鹸を使用して脱毛を行うにあたって、回転シリンダー４の回転によって、泡が広がろう（飛散しよう）としても、回転シリンダー４を外囲する枠体４２の両側部４２ａ，４２ｂならびに突起部４６ｂを含む泡溜め板４６及びワイパー４７、つまり泡保持部材がそれを堰き止めるので、常に均一な泡の量を維持し、前記脱毛手段による機能を安定して発揮させ続けることができる。
【００２４】
ワイパー４７は、ヘッドフレーム４１が肌面３５に接触していない状態では、ローラ４７ｂはばねの弾発力によって枠体４２から肌面３５方向に突出し、肌面３５に密着すると、図６（ａ）に示すように、ローラ４７ｂはばねの弾発力に抗して枠体４２内に後退する。したがって、ローラ４７ｂの肌面３５に対する密着性が上がり、より確実に泡を掻き取る。つまり、したがって、脱毛処理が済んだ回転シリンダー４よりも回転方向の上流側に残った泡を該ワイパー４７によって掻き取り、泡を無駄なく使用することができる。また、剃刀で剃った場合と同様に、泡を拭き取る手間が軽減されて使い勝手が良くなるとともに、仕上がりをチェックできる。
【００２５】
さらに、回転シリンダー４の回転方向下流側（好ましくは、起毛のために肌面３５が回転シリンダー４の回転方向と相対的に反対方向に移動するように脱毛ヘッド３が矢符４５方向に移動される場合、その脱毛ヘッド３の移動方向の下流側）に、回転シリンダー４によって押し出された泡は該回転シリンダー４の回転方向の下流側に溜る。泡溜め板４６は、この泡が溜る位置に配置されている。このため、泡溜めを効率的に行うことができる。
【００２６】
泡溜め板４６の先端は波形に形成されているため、その谷部は、肌面３５に対して回転シリンダー４よりも後退位置に配置する。これによって、脱毛ヘッド３の移動に伴い肌面３５から新たに供給されてくる泡を取込んでゆくことができる。また、泡溜め板４６に形成された１または複数の貫通孔４６ａは、脱毛ヘッド３の移動に伴って肌面３５から過剰に供給されてしまった泡を脱毛ヘッド３の外部に排出する。したがって、泡の量をより一層均一に維持し、脱毛機能をより安定させることができる。
【００２７】
以上記述したように、本実施の形態によれば、以下の効果を奏する。
（１）脱毛ヘッド３の移動方向下流側には泡溜め板４６が取着されている。泡溜め板４６の先端は波形に形成されている。泡溜め板４６には、１または複数の貫通孔４６ａが内外方向に沿って貫通形成されている。泡溜め板４６の波形に形成された端部の山部には、皮膚の方向に向かって、先端が皮膚に密着するように突起部４６ｂが延出形成されている。突起部４６ｂは、先端が皮膚に密着することにより、肌に密着した長い毛を肌から引き剥がす。そして、回転シリンダー４よりも脱毛装置１の移動方向下流側に、肌面３５に先端が密着する突起部４６ｂを配置することにより、肌に密着した長い毛が肌面３５から引き剥がされ、回転シリンダー４の外周に設けられた開閉爪に挟まれる。したがって、長い毛も、回転シリンダー４の回転により肌から抜き取られる。つまり、短い毛から長い毛まで高い脱毛効率を得ることができる。
【００２８】
（２）石鹸を使用して脱毛を行うにあたって、回転シリンダー４の回転によって、泡が広がろう（飛散しよう）としても、回転シリンダー４を外囲する枠体４２の両側部４２ａ，４２ｂならびに泡溜め板４６及びワイパー４７、つまり泡保持部材がそれを堰き止めるので、常に均一な泡の量を維持し、前記脱毛手段による機能を安定して発揮させ続けることができる。
【００２９】
（３）回転シリンダー４の回転方向下流側（好ましくは、起毛のために肌面３５が回転シリンダー４の回転方向と相対的に反対方向に移動するように脱毛ヘッド３が矢符４５方向に移動される場合、その脱毛ヘッド３の移動方向の下流側）に、回転シリンダー４によって押し出された泡は該回転シリンダー４の回転方向の下流側に溜る。泡溜め板４６は、この泡が溜る位置に配置されている。このため、泡溜めを効率的に行うことができる。
【００３０】
（４）泡溜め板４６の先端は波形に形成されているため、その谷部は、肌面３５に対して回転シリンダー４よりも後退位置に配置する。これによって、脱毛ヘッド３の移動に伴い肌面３５から新たに供給されてくる泡を取込んでゆくことができる。また、泡溜め板４６に形成された１または複数の貫通孔４６ａは、脱毛ヘッド３の移動に伴って肌面３５から過剰に供給されてしまった泡を脱毛ヘッド３の外部に排出する。したがって、泡の量をより一層均一に維持し、脱毛機能をより安定させることができる。
【００３１】
尚、上記各実施の形態は、以下の態様で実施してもよい。
・上記実施形態の突起部４６ｂに対し、図７，図８に示すように、突起部４６ｂの先端から肌面沿って延出したアンダーカット部４６ｃを形成するようにしてもよい。この場合、図９（ａ）〜図９（ｃ）に示すように、突起部４６ｂの先端にアンダーカット部４６ｃを形成することにより、肌面３５から引き剥がされた毛がアンダーカット部４６ｃに引っかかり、長い毛が再び肌に密着し難くなるので、脱毛効率を向上することができる。また、突起部４６ｂの先端と肌面３５との接触面積が大きくなり、肌面３５に密着した毛をより肌面３５から引き剥がしやすくなり、脱毛効率を向上することができる。
【００３２】
また、図１０，図１１に示すように、突起部４６ｂの先端を連結バー４６ｄにより連結するようにしてもよい。この場合、連結バー４６ｄが肌面３５と回転シリンダー４に沿って連続的に接触するため、肌面３５に密着した毛を確実に肌面３５から引き剥がしやすくなるとともに、連結バー４６ｄが突起部４６ｂの先端を連結しているため長い毛が再び肌に密着するのを防止し、更に脱毛効率を向上することができる。
【００３３】
・上記実施形態において、突起部４６ｂを枠体４２に形成してもよい。また、突起部４６ｂを有する泡溜め板４６を枠体４２と一体形成してもよい。
【図面の簡単な説明】
【００３４】
【図１】本発明の実施の一形態に係る脱毛装置の外観構造を示す斜視図である。
【図２】図１のＡ−Ａ線断面図である。
【図３】図１のＢ−Ｂ線断面図である。
【図４】図１のＣ−Ｃ線断面図である。
【図５】ヘッドフレームの斜視図である。
【図６】（ａ）〜（ｃ）は、脱毛の流れ（起毛〜導入）を示す説明図である。
【図７】別のヘッドフレームの斜視図である。
【図８】別の脱毛ヘッドの断面図である。
【図９】（ａ）〜（ｃ）は、脱毛の流れ（起毛〜導入）を示す説明図である。
【図１０】別のヘッドフレームの斜視図である。
【図１１】別の脱毛ヘッドの断面図である。
【符号の説明】
【００３５】
１…脱毛装置、２…本体ケーシング、３…脱毛ヘッド、４…回転シリンダー、５…モータ、６…充電池、７…基台、２１…基端部、２２…ヘッド部、２３…フック、２４…リリース釦、２５〜３１…歯車、３２…揺動支点、３５…肌面、４１…ヘッドフレーム、４２…枠体、４２ａ，４２ｂ…側部、４２ｆ…案内溝、４３…ワイヤー、４４…コーム、４６…泡溜め板、４６ａ…貫通孔、４６ｂ…突起部、４６ｃ…アンダーカット部、４６ｄ…連結バー、４７…ワイパー、４７ａ…ワイパー基台、４７ｂ…ローラ。
【図１】
0004893549.tif 000002
【図２】
0004893549.tif 000003
【図３】
0004893549.tif 000004
【図４】
0004893549.tif 000005
【図５】
0004893549.tif 000006
【図６】
0004893549.tif 000007
【図７】
0004893549.tif 000008
【図８】
0004893549.tif 000009
【図９】
0004893549.tif 000010
【図１０】
0004893549.tif 000011
【図１１】
0004893549.tif 000012